【手続補正書】
【提出日】平成18年1月11日(2006.1.11)
【手続補正１】
【補正対象書類名】特許請求の範囲
【補正対象項目名】請求項１
【補正方法】変更
【補正の内容】
【請求項１】
ファスナーテープ１２の側縁１３または折曲側縁１４から噛合頭部１９が突出する形状に線条ファスナーエレメント５を取付け、線条ファスナーエレメント５の上端における複数個の噛合頭部１９と反転部２０とが他の噛合頭部１９と反転部２０よりもファスナーテープ１２の内側へ配置し、左右の噛合頭部１９が対向したとき不噛合状に形成するとともに、反転部２０がスライダー２５に当接する形に形成し、該部分の線条ファスナーエレメント５とファスナーテープ１２とを溶着し固定して上止１を形成してなることを特徴とする線条スライドファスナーの上止。
【手続補正２】
【補正対象書類名】特許請求の範囲
【補正対象項目名】請求項２
【補正方法】変更
【補正の内容】
【請求項２】
線条ファスナーエレメント５とファスナーテープ１２とを溶着Ｕ1 固定した部分の線条ファスナーエレメント５は、反転部２０がスライダー２５のフランジ２７の内壁面２９に当接する停止機構を備えてなる請求項１記載の線条スライドファスナーの上止。
【手続補正３】
【補正対象書類名】特許請求の範囲
【補正対象項目名】請求項３
【補正方法】変更
【補正の内容】
【請求項３】
線条ファスナーエレメント５とファスナーテープ１２とを溶着Ｕ1 固定した部分の線条ファスナーエレメント５は、反転部２０がフランジ２７の先端部３０に当接する停止機構を備えてなる請求項１記載の線条スライドファスナーの上止。
【手続補正４】
【補正対象書類名】明細書
【補正対象項目名】０００４
【補正方法】変更
【補正の内容】
【０００４】
この発明は、上述の問題点を考慮して発明されたものであり、請求項１記載の発明はスライドファスナーにおける上止自体が硬直化せず、柔軟性を備え、かつ上止の表面にバリが発生しない肌触りのよい良質の上止を、簡易な作製手段たとえばファスナーエレメントをファスナーテープの内側へ押し込み、ファスナーエレメントの左右の噛合頭部が対向したとき不噛合状態になるように形成するとともに、反転部がスライダーに当接するように形成したことによって安価に作製できる通常タイプおよび隠蔽タイプの線条スライドファスナーの上止を提供することが主たる目的である。
【手続補正５】
【補正対象書類名】明細書
【補正対象項目名】０００５
【補正方法】変更
【補正の内容】
【０００５】
請求項２記載の発明は、請求項１記載の発明の目的に加え、線条ファスナーエレメントをファスナーテープに溶着して形成した上止は、反転部の端面がスライダーのフランジにおける内壁面に当接してスライダーをストップさせる通常タイプおよび隠蔽タイプの線条スライドファスナーの上止を提供することが目的である。
【手続補正６】
【補正対象書類名】明細書
【補正対象項目名】０００６
【補正方法】変更
【補正の内容】
【０００６】
請求項３記載の発明は、請求項１記載の発明の目的に加え、線条ファスナーエレメントをファスナーテープに溶着して形成した上止は、反転部がスライダーのフランジの先端に当接してスライダーをストップさせる通常タイプおよび隠蔽タイプの線条スライドファスナーの上止を提供することが目的である。
【手続補正７】
【補正対象書類名】明細書
【補正対象項目名】００１２
【補正方法】変更
【補正の内容】
【００１２】
前記の目的を達成するため、この発明のうち請求項１記載の発明は、スライドファスナーにおけるファスナーテープ１２の側縁１３または折曲側縁１４からコイル状またはジグザグ状の線条ファスナーエレメント５の噛合頭部１９が突出する形状に線条ファスナーエレメント５を取付け、この線条ファスナーエレメント５の上端における複数個の噛合頭部１９と脚部２１を介して連結する反転部２０とを他の噛合頭部１９と反転部２０よりもファスナーテープ１２の内側へ押し込んで、噛合頭部１９がファスナーテープ１２の側縁１３または折曲側縁１４と略一致させ、左右の噛合頭部１９が対向したとき不噛合状態になるように形成するとともに、反転部２０がスライダー２５に当接する形に形成し、この部分における線条ファスナーエレメント５とファスナーテープ１２とを溶着Ｕ1 し固定して上止１を形成した通常タイプまたは隠蔽タイプの線条スライドファスナーの上止を主な構成とするものである。
【手続補正８】
【補正対象書類名】明細書
【補正対象項目名】００１３
【補正方法】変更
【補正の内容】
【００１３】
請求項２記載の発明は、請求項１記載の発明の構成に加え、コイル状またはジグザグ状の線条ファスナーエレメント５とファスナーテープ１２とを溶着Ｕ1 し固定して、上止１を形成した部分の線条ファスナーエレメント５は、線条ファスナーエレメント５の反転部２０の端面がスライダー２５のフランジ２７の内壁面２９に当接することによって、スライダー２５を停止させることが可能な通常タイプまたは隠蔽タイプの線条スライドファスナーの上止である。
【手続補正９】
【補正対象書類名】明細書
【補正対象項目名】００１４
【補正方法】変更
【補正の内容】
【００１４】
請求項３記載の発明は、請求項１記載の発明の構成に加え、コイル状またはジグザグ状の線条ファスナーエレメント５とファスナーテープ１２とを溶着Ｕ1 し固定して、上止１を形成した部分の線条ファスナーエレメント５は、線条ファスナーエレメント５の反転部２０がスライダー２５のフランジ２７の先端部３０に当接することによって、スライダー２５を停止させることが可能な通常タイプまたは隠蔽タイプの線条スライドファスナーの上止である。
【手続補正１０】
【補正対象書類名】明細書
【補正対象項目名】００２１
【補正方法】変更
【補正の内容】
【００２１】
この出願の発明の効果として、請求項１記載の発明は、ファスナーテープの側縁または折曲側縁から噛合頭部が突出する形状に線条ファスナーエレメントを取付け、線条ファスナーエレメントの上端における複数個の噛合頭部と反転部とが他の噛合頭部と反転部よりもファスナーテープの内側へ配置し、左右の噛合頭部が対向したとき不噛合状に形成するとともに、反転部がスライダーに当接する形に形成し、該部分の線条ファスナーエレメントとファスナーテープとを溶着し固定して上止を形成したことによって、他の素材を付加することなく線条ファスナーエレメントの上端の左右のファスナーエレメントの噛合頭部とこれに連結する反転部とをファスナーテープの内側へ後退させ、噛合頭部が対向したとき、不噛合状態となるように形成して、ファスナーエレメントとファスナーテープとを溶着して上止を形成し、スライダーに当接させるので、上止の表面が柔軟でバリが生じない品質のよい上止を低コストで、しかも簡単な手段によって作製できる効果がある。
【手続補正１１】
【補正対象書類名】明細書
【補正対象項目名】００２２
【補正方法】変更
【補正の内容】
【００２２】
請求項２記載の発明は、請求項１記載の発明の効果に加え、線条ファスナーエレメントとファスナーテープとを溶着固定した部分の線条ファスナーエレメントは、反転部がフランジの内壁面に当接する停止機構を備えたことによって、左右のファスナーエレメントの噛合頭部の反対側の反転部が縫糸よりも後退して突出し、フランジの内面に当接してストップさせるので、構造が簡単で体裁よく停止させる機能を発揮できる効果がある。
【手続補正１２】
【補正対象書類名】明細書
【補正対象項目名】００２３
【補正方法】変更
【補正の内容】
【００２３】
請求項３記載の発明は、請求項１記載の発明の効果に加え、線条ファスナーエレメントとファスナーテープとを溶着固定した部分の線条ファスナーエレメントは、反転部がフランジの先端部に当接する停止機構を備えたことによって、左右のファスナーエレメントの噛合頭部の反対側の反転部が縫糸よりも後退して突出し、フランジの先端に当接してストップさせるので、構造が簡単で的確に停止させる機能を発揮できる効果がある。